(57)【要約】【課題】光ディスクの記録面に短時間で可視画像を形成できるようにする。【解決手段】所望の可視画像を光ディスクに形成するための可視画像形成データが、記憶手段に格納されていない場合、画面上への表示に適したファイル形式の画像データに基づいて、可視画像形成データを作成し、両データを関連付けて記憶手段に保存し、可視画像形成データに基づいて光ディスクに可視画像を形成する。また、所望の可視画像形成データが記憶手段に格納されている場合、可視画像形成データを記憶手段から読み出して、この可視画像形成データに基づいて、光ディスクに可視画像を形成する。【選択図】図５
2004039029.tif 000002
【特許請求の範囲】
【請求項１】
画面上への表示に適したファイル形式の画像データに基づいて、光ディスクに可視画像を形成するための可視画像形成データを作成する工程、
上記可視画像形成データを、上記画面上への表示に適したファイル形式の画像データに関連付けて、上記両データをデータ管理装置に保存する工程、を含むデータ管理方法。
【請求項２】
請求項１に記載のデータ管理方法で前記データ管理装置に保存した前記可視画像形成データを読み出す読出工程、
上記読出工程で読み出した前記可視画像形成データに基づいて、光ディスクに可視画像を形成する工程、を行う光ディスク記録方法。
【請求項３】
可視画像のデータを管理するデータ管理装置に、
画面上への表示に適したファイル形式の画像データに基づいて、光ディスクに可視画像を形成するための可視画像形成データを作成する手順、
上記可視画像形成データを上記画面上への表示に適したファイル形式の画像データに関連付けて、上記両データを記憶させる手順、を実行させるためのデータ管理プログラム。
【請求項４】
光ディスクに可視画像を形成する光ディスク記録装置に、
請求項３に記載の前記データ管理装置に記憶させた前記可視画像形成データを読み出す手順、
上記可視画像形成データに基づいて、光ディスクに可視画像を形成する手順を実行させるためのプログラム。
【請求項５】
画面上への表示に適したファイル形式の画像データに基づいて、光ディスクに可視画像を形成するための可視画像形成データを作成するデータ作成手段と、
上記可視画像形成データを上記画面上への表示に適したファイル形式の画像データに関連付けて、上記両データを保存する記憶手段と、を備えたデータ管理装置。
【請求項６】
請求項５に記載のデータ管理装置の記憶手段から可視画像形成データを読み出す制御手段と、
上記可視画像形成データに基づいて光ディスクに可視画像を形成する記録手段と、を備えた光ディスク記録装置。
【発明の詳細な説明】
【０００１】
【発明の属する技術分野】
この発明は、記録形光ディスクに可視画像を形成するためのデータを保存・管理するデータ管理方法、データ管理プログラム、及びデータ管理装置、並びに光ディスクに可視画像を形成する光ディスク記録方法、光ディスク記録プログラム、及び光ディスク記録装置に関する。
【０００２】
【従来の技術】
記録形光ディスクは、レーザー光を照射して光学的にデータを記録することができ、ＣＤ−Ｒ、ＤＶＤ−Ｒなどのように一度だけデータを記録可能な追記形光ディスク、ＣＤ−ＲＷ、ＤＶＤ−ＲＷ、ＤＶＤ＋ＲＷ、ＤＶＤ−ＲＡＭなどのようにデータを書き換え可能な書換形光ディスクがある。
【０００３】
追記形光ディスクでは、その有機色素層（記録層）にレーザー光が照射されると、このレーザー光の熱で有機色素層が溶けてピットが形成される。追記形光ディスクには、この特性を利用してデータが記録される。また、書換形光ディスクでは、その記録層にレーザー光が照射されると、このレーザー光の熱で記録層の状態がアモルファス（非晶）状態又は結晶状態に相変化して、ピット又はランドに相当する部分が形成される。書換形光ディスクには、この特性を利用してデータが記録される。
【０００４】
このように、記録形光ディスクでは、レーザー光を照射してデータを記録した部位にはピットが形成されるため、データを記録した部位とデータを未記録の部位とで光の反射率が異なり、また、記録面に色の濃淡が発生する。この特性を利用することで、記録形光ディスクのデータ記録面にレーザー光を照射して、文字、記号、絵画、写真などを所望の形状の視認可能な画像（以下、可視画像と称する。）を形成することができる。記録形光ディスクのデータ記録面に可視画像で、例えば、記録データに関する情報を表示するようにすると、光ディスクのレーベル面に記録データに関する情報を手書きしたり印刷したりする必要がなくなり、また、容易に光ディスクの記録内容を判別することができる。
【０００５】
図９は、直交座標系の画像及び可視画像用の極座標系の画像を示した図である。従来の光ディスク記録装置は、ユーザが可視画像として表示する画像を設定すると、この画像データに基づいて可視画像形成データを作成して、この可視画像形成データに基づいて光ディスクのデータ記録面に可視画像を形成していた。すなわち、光ディスク記録装置は、光ディスクを回転させながらレーザー光を照射して可視画像を形成するので、光ディスクに形成する可視画像用のレーザー光照射パターンは、図９（Ａ）に示したように、極座標系の画像に基づいて作成される。一方、コンピュータなどで扱う一般的な画像は、図９（Ｂ）に示したように、直交座標系の画像である。そのため、光ディスク記録装置は、直交座標系の画像データを極座標系の画像データに変換する。そして、この極座標系の画像データに基づいて、光ディスクを回転させながらレーザー光を照射して、可視画像を形成するためのレーザー照射パターンデータを連続的につなげたシリアルデータ及び記録開始位置情報を含む可視画像形成データを作成し、この可視画像形成データによって、光ディスクに可視画像を記録していた。
【０００６】
【発明が解決しようとする課題】
従来の光ディスク記録装置では、上記の可視画像形成データに基づいて可視画像を光ディスクのデータ記録面に形成すると、可視画像を形成する際に作成した上記可視画像形成データの保存を行っていなかった。これは、同じ画像に基づいて可視画像を形成する場合でも、光ディスク上の形成位置によって、可視画像形成データが異なるため、可視画像形成データを保存しても再利用されることがほとんど無かったからである。また、従来、光ディスクに形成される可視画像は、文字や記号など２階調で表示できる文字系のものが主流であったので、可視画像形成データのデータ量が少なく、短時間で作成することができていたからである。
【０００７】
しかしながら、近時、光ディスク記録装置では、絵画、写真など多階調での表示が必要な写真系の可視画像を形成することが多くなってきた。光ディスク記録装置で多階調の写真系可視画像を光ディスクに形成する場合、直交座標系の画像データに基づいて可視画像形成データを作成する際に、階調情報についても計算が必要である。そのため、光ディスク記録装置では、可視画像の形成完了までに、単色文字系の可視画像を形成する場合に比べて時間が必要となった。
【０００８】
また、光ディスク記録装置のユーザが、光ディスクの複製を複数作成する場合などに、同じ可視画像を複数の光ディスクに形成させることも増えてきた。しかし、光ディスク記録装置は、各光ディスクに可視画像を形成する際に、可視画像形成データを毎回作成するため、可視画像の形成に時間が必要であった。
【０００９】
さらに、光ディスク記録装置では、写真系可視画像の形成情報を作成しながら、順次可視画像を形成した場合、バッファーアンダーランが発生することがあった。これは、上記のように、可視画像形成データの作成工程に時間が必要なためであり、可視画像の形成工程の方が、可視画像形成データの作成工程よりも処理が速いためである。
【００１０】
そこで、本発明は上記の問題を解決して、光ディスクの記録面に短時間で可視画像を形成できるようにするために、可視画像形成用の情報を管理するデータ管理方法、データ管理プログラム、及びデータ管理装置、並びに光ディスクの記録面に短時間で可視画像を形成できる光ディスク記録方法、光ディスク記録プログラム、及び光ディスク記録装置を提供することを目的とする。
【００１１】
【課題を解決するための手段】
この発明は、上記の課題を解決するための手段として、以下の構成を備えている。
【００１２】
（１）画面上への表示に適したファイル形式の画像データに基づいて、光ディスクに可視画像を形成するための可視画像形成データを作成する工程、
上記可視画像形成データを、上記画面上への表示に適したファイル形式の画像データに関連付けて、上記両データをデータ管理装置に保存する工程、を含む。
【００１３】
この構成においては、画面上への表示に適したファイル形式の画像データに基づいて、光ディスクに可視画像を形成するための可視画像形成データを作成し、両データを関連付けて記憶手段に保存する。ここで、可視画像とは、記録形光ディスクにレーザー光を照射してピットを形成した部位と、ピットを未形成の部位と、で光の反射率が異なり色の濃淡が発生する特性を利用して、文字、記号、絵画、写真などを所望の形状の視認可能な画像を形成したものである。また、画面上への表示に適したファイル形式の画像データとは、パソコンなどの表示装置の画面上への表示に適した直交座標系やベクトル系などの画像データをファイル形式で保存したものである。例えば、ｂｍｐ形式、ｇｉｆ形式、ｊｐｇ形式、ｔｉｆ形式、ｐｃｔ形式、ｄｘｆ形式などのファイル形式の画像データである。さらに、可視画像形成データとは、光ディスク記録装置で光ディスクに可視画像を形成するためのデータであって、レーザー照射パターンを連続に連ねたシリアルデータ及び記録開始位置情報を含むデータであるが、光ディスクドライブ（光ディスク記録装置）がレーザー照射パターン変換手段を備えている場合は、レーザー照射パターンに変換される階調データなどのことを言う。
【００１４】
したがって、可視画像形成データと、その可視画像形成データの元になる画像データである画面上への表示に適したファイル形式の画像データと、が関連付けてデータ管理装置に保存されているので、画面上への表示に適したファイル形式の画像データに基づく画像をパソコンの表示装置に表示させて、可視画像を形成する画像を選択すると、選択した画像に関連付けされた可視画像形成データを容易に読み出すことができる。これにより、例えば、光ディスク記録装置に、この可視画像形成データに基づいて可視画像を光ディスクへ速やかに形成させることができる。また、データ管理装置に可視画像形成データを保存するので、光ディスク記録装置で同じ可視画像を複数の光ディスクに形成する場合、可視画像形成データの作成は１回で済み、装置の負荷を軽くすることができる。さらに、光ディスク記録装置で可視画像を光ディスクに形成するのが２回目以降の場合、可視画像形成データを作成しないで良いため、短時間で可視画像を光ディスクに形成することができる。
【００１５】
（２）（１）に記載のデータ管理方法で前記データ管理装置に保存した前記可視画像形成データを読み出す読出工程、
上記読出工程で読み出した前記可視画像形成データに基づいて、光ディスクに可視画像を形成する工程、を行う。
【００１６】
この構成においては、光ディスクに可視画像を形成するための可視画像形成データをデータ管理装置から読み出して、この可視画像形成データに基づいて、光ディスクに可視画像を形成する。したがって、データ管理装置で複数の可視画像形成データ及びその可視画像用の画像データを保存・管理することで、画面上への表示に適したファイル形式の画像データに基づく画像を表示させて、可視画像を形成する画像を選択でき、選択した画像に関連付けされた可視画像形成データに基づいて、可視画像を光ディスクへ速やかに形成できる。
【００１７】
【発明の実施の形態】
以下に、本発明の実施形態に係る光ディスク記録装置及び可視画像形成用のデータ管理装置について説明する。図１は、本発明の実施形態に係る光ディスク記録装置の構成を示したブロック図である。図１に示したように、本発明の実施形態に係る光ディスク記録装置１は、ホストコンピュータ３に、光ディスクドライブ２が接続された構成である。光ディスクドライブ２は、フィードモータ８、ガイドレール９、光ピックアップ１０、スピンドルモータ１１、ＲＦアンプ１２、サーボ回路１３、アドレス検出回路１４、デコーダ１５、制御部１６、エンコーダ１７、ストラテジ回路１８、レーザードライバ１９、レーザーパワー制御回路２０、周波数発生器２１、エンベロープ検出回路２２、β検出回路２４、記憶部２５、バッファーメモリ３０、及びレーザー照射パターン変換回路３１を備えている。また、ホストコンピュータ３は、表示部４、入力部５、メイン記憶部６、及びメイン制御部７を備えている。
【００１８】
フィードモータ８は、光ピックアップ１０を光ディスクＤの半径方向に移動させるための駆動力を供給するモータである。
【００１９】
ガイドレール９は、光ピックアップ１０が光ディスクＤの半径方向に移動するように、光ピックアップ１０を支持する。
【００２０】
スピンドルモータ１１は、データを記録する対象である光ディスクＤを回転駆動するモータである。また、スピンドルモータ１１の回転軸先端部には、光ディスクＤを保持（チャッキング）するためのターンテーブルなどからなる図外の光ディスク保持機構が設けられている。
【００２１】
光ピックアップ１０は、レーザーダイオード、レンズ及びミラーなどの光学系、戻り光（反射光）受光素子、並びにフォーカスサーボ機構などを備えている。
また、記録及び再生時には光ディスクＤに対してレーザー光を照射し、ピットを形成してデータを記録する。また、光ピックアップ１０は、このデータ記録プロセスを用いて、所望の形状の視認可能な画像である可視画像を光ディスクに形成する。さらに、光ピックアップ１０は、光ディスクＤからの戻り光を受光して受光信号であるＥＦＭ変調されたＲＦ信号をＲＦアンプ１２に出力する。なお、フォーカスサーボ機構は、光ピックアップ１０のレンズと光ディスクＤのデータ記録面との距離を一定に保つためのサーボ機構である。また、光ピックアップ１０は、モニタダイオードを備えており、光ディスクＤの戻り光によってモニタダイオードに電流が生じ、この電流がレーザーパワー制御回路２０へ供給されるようになっている。
【００２２】
周波数発生器２１は、スピンドルモータ１１が出力した光ディスクＤの相対位置信号を検出して、光ディスクＤの回転角度や回転数を検出するための信号をサーボ回路１３に出力する。
【００２３】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、β検出回路２４、及びデコーダ１５に出力する。
【００２４】
デコーダ１５は、再生時には、ＲＦアンプ１２から供給されるＥＦＭ変調されたＲＦ信号をＥＦＭ復調して再生データを生成し、データ記憶回路２５に出力する。また、デコーダ１５は、データ記録時には、テスト記録によって記録された領域を再生する際に、ＲＦアンプ１２から供給されたＲＦ信号をＥＦＭ復調する。
【００２５】
アドレス検出回路１４は、ＲＦアンプ１２から供給されたＥＦＭ信号からウォブル信号成分を抽出し、このウォブル信号成分に含まれる各位置の時間情報（アドレス情報）、及び光ディスクＤを識別する識別情報（ディスクＩＤ）や光ディスクＤの色素などディスクの種類を示す情報を復号し、制御部１６に出力する。なお、上記のウォブル信号成分に含まれる各位置の時間情報（アドレス情報）、及び光ディスクＤを識別する識別情報（ディスクＩＤ）やディスクの色素などディスクの種類を示す情報は、ＡＴＩＰ（Ａｂｓｏｌｕｔｅ　Ｔｉｍｅ　Ｉｎ　Ｐｒｅｇｒｏｏｖｅ）情報とも称する。
【００２６】
β検出回路２４は、光ディスクＤのテスト記録領域を再生している時に、ＲＦアンプ１２から供給されるＲＦ信号から再生信号品位に関するパラメータとしてβ（アシンメトリ）を算出し、算出結果を制御部１６に出力する。ここで、βは、ＥＦＭ変調された信号波形のピークレベル（符号は＋）をａ、ボトムレベル　（符号は−）をｂとすると、β＝（ａ＋ｂ）／（ａ−ｂ）で求めることができる。
【００２７】
エンベロープ検出回路２２は、光ディスクＤへテスト記録を行う前に、光ディスクＤのテスト領域のどの部分からテスト記録を開始するかを検出するために、上述した光ディスクＤのカウント領域１１２ｂにおけるＥＦＭ信号のエンベロープを検出する。
【００２８】
サーボ回路１３は、スピンドルモータ１１の回転制御、並びに光ピックアップ１０のフォーカス制御、トラッキング制御、及びフィードモータ８による光ピックアップ１０の送り制御を行う。ここで、本実施形態に係る光ディスク記録装置１では、記録時には光ディスクＤを角速度一定で駆動する方式であるＣＡＶ（Ｃｏｎｓｔａｎｔ　Ａｎｇｕｌａｒ　Ｖｅｌｏｃｉｔｙ）方式と、光ディスクＤを線速度一定にして駆動する　方式であるＣＬＶ（Ｃｏｎｓｔａｎｔ　Ｌｉｎｅａｒ　Ｖｅｌｏｃｉｔｙ）方式と、を切り替えて行うことができるようになっている。そのため、サーボ回路１３は、制御部１６から供給される制御信号に応じてＣＡＶ方式とＣＬＶ方式とを切り替える。サーボ回路１３はＣＡＶ制御の場合、周波数発生器２１によって検出されるスピンドルモータ１１の回転数が、設定された回転数と一致するように制御する。また、サーボ回路１３は、ＣＬＶ制御の場合、ＲＦアンプ１２から供給された信号のウォブル信号成分が設定された線速度倍率相当になるようにスピンドルモータ１１を制御する。
【００２９】
エンコーダ１７は、メイン制御部７から出力された記録データをＥＦＭ変調し、ストラテジ回路１８に出力する。ストラテジ回路１８は、エンコーダ１７からのＥＦＭ信号に対して時間軸補正処理などを行い、レーザードライバ１９に出力する。レーザードライバ１９は、ストラテジ回路１８から供給される記録データに応じて変調された信号と、レーザーパワー制御回路２０の制御信号と、に従って光ピックアップ１０のレーザーダイオードを駆動する。
【００３０】
レーザーパワー制御回路２０は、光ピックアップ１０のレーザーダイオードから照射されるレーザー光のパワーを制御する。具体的には、レーザーパワー制御回路２０は、光ピックアップ１０のモニタダイオードから出力される電流値と、制御部１６から送信される最適なレーザーパワーの目標値を示す情報と、に基づいて、最適なレーザーパワーのレーザー光が光ピックアップ１０から照射されるように、レーザードライバ１９を制御する。
【００３１】
制御部１６は、ＣＰＵ、ＲＯＭ、及びＲＡＭ等から構成されており、ＲＯＭに格納されたプログラムに従って光ディスク記録装置１の各部を制御して、光ディスクにデータの記録や可視画像の形成を行う。また、光ディスクに記録されたデータの再生を行う。また、制御部１６は、セットされた記録用光ディスクの種類を判別するために、サーボの自動調整を行い、サーボ回路１３、レーザーパワー制御回路２０、エンコーダ１７にそれぞれ所定の信号を出力する。これらの信号が出力されると、光ピックアップ１０は、所定の位置に移動するとともに、レーザー光を記録用光ディスクに照射して、データの記録を行う。また、光ディスクに記録されたデータの確認、再生、光ディスクの記録エラー位置の検出などを行う場合、光ピックアップ１０の受光素子は、照射光の戻り光を受光して、受光量に応じた電気信号をＲＦアンプ１２に出力する。ＲＦアンプ１２は、この信号を増幅してデコーダ１５やβ検出回路２４、アドレス検出回路１４、及びエンベロープ検出回路２２に出力する。制御部１６は、これらの回路からの信号に基づいて上記の各処理を行う。
【００３２】
バッファーメモリ３０は、メイン制御部７から転送される可視画像形成データを一時的に格納し、データ照射パターン変換回路３１へ出力する。レーザー照射パターン変換回路３１は、可視画像形成データをレーザー照射パターンへ変換し、レーザードライバ１９へ出力する。なお、メイン制御部７でレーザー照射パターン変換を行う構成の場合は、バッファーメモリ３０及びレーザー照射パターン変換回路３１は不要である。
【００３３】
記憶部２５は、実験などを行って予め求めたデータや、光ディスク記録装置１のファームウェアなどを記憶する。
【００３４】
ホストコンピュータ３の表示部４は、光ディスクＤに記録したデータの信号品位や、光ディスク記録装置１からユーザに伝達する情報などを表示するためのものである。入力部５は、ユーザが光ディスク記録装置１の各種制御や操作を行う。メイン記憶部６は、光ディスクドライブ２で光ディスクＤに形成する可視画像に関するデータ処理を行うプログラムや、可視画像を光ディスクのデータ記録面に形成するための情報である可視画像形成データなどを記憶する。メイン制御部７は、光ディスク記録装置の各部を制御して、データの記録・確認・再生、可視画像の形成を行う。
【００３５】
光ディスク記録装置１は、上記のような構成であり、ホストコンピュータ３がデータ管理装置であり、光ディスクドライブ２が光ディスク記録装置であると言える。
【００３６】
次に、光ディスクＤの領域構成について、図２に基づいて説明する。図２は、光ディスクＤの領域構成を示した断面図である。光ディスクＤは、外径が１２０ｍｍであり、光ディスクＤの直径４６〜５０ｍｍの区間がリードイン領域１１４として用意され、その外周側にデータを記録するプログラム領域１１８及び残余領域１２０が用意されている。また、リードイン領域１１４よりも内周側には、パワー校正領域であるＰＣＡ（Ｐｏｗｅｒ　Ｃａｌｉｂｒａｔｉｏｎ　Ａｒｅａ）１１２、及びプログラムメモリ領域であるＰＭＡ（Ｐｒｏｇｒａｍ　Ｍｅｍｏｒｙ　Ａｒｅａ　）１１３が用意されている。
また、内周側のＰＣＡ１１２には、テスト領域１１２ａと、カウント領域１１２ｂと、が用意されている。このテスト領域１１２ａには、本記録に先立ち、テスト記録が実施される。
【００３７】
ＰＭＡ１１３には、データ記録中のトラック情報（仮ＴＯＣ情報）を一時的に記録する。最終的にセッションがクローズされた場合には、これらの情報はリードイン領域のＴＯＣに記録される。
【００３８】
本発明の光ディスク記録装置１は、ＣＡＶ方式で光ディスクを回転させて可視画像を形成する。また、光ディスク記録装置１では、アゾ系の低速追記形光ディスクを用いると、特に視認性の良い可視画像を形成することができる。
【００３９】
次に、本発明の光ディスク記録装置及びデータ管理装置の動作について説明する。以下においては、記録形光ディスクとしてＣＤ−Ｒを用いた場合について説明する。また、光ディスク記録装置１では、メイン制御部７がメイン記憶部６に格納されたプログラムを読み出して、また、制御部１６が記憶部２５に格納されたプログラムを読み出して、以下に説明する各動作を行う。
【００４０】
光ディスク記録装置１は、メイン制御部７で、ｂｍｐ形式（画面上への表示に適したファイル形式の一例）の画像データに基づいて、可視画像形成データを作成する。ここで、可視画像形成データとは、光ディスク記録装置で光ディスクを回転させながらレーザー光を照射して、可視画像を形成するためのシリアルデータ、及び記録開始位置情報を含むデータのことである。そして、可視画像形成データを元の画像データに関連付けて、両データをメイン記憶部６に保存する。また、光ディスク記録装置１は、制御部７が作成・保持した可視画像形成データ、又はメイン記憶部６に保存した可視画像形成データに基づいて光ディスクに可視画像を形成する。
【００４１】
これにより、可視画像形成データと、ｂｍｐ形式の画像データと、が関連付けてデータ管理装置に保存されているので、ｂｍｐ形式の画像データに基づく画像をパソコンの表示装置に表示させて、可視画像を形成する画像を選択すると、選択した画像に関連付けされた可視画像形成データを容易に読み出すことができる。したがって、光ディスク記録装置で速やかに光ディスクへ可視画像を形成することができる。また、同じ可視画像を複数の光ディスクに形成する場合、可視画像形成データの作成は１回で済むため、光ディスク記録装置の負荷を軽くすることができる。さらに、可視画像を光ディスクに形成するのが２回目以降の場合、可視画像形成データを作成しないで良いため、短時間で可視画像を光ディスクに形成することができる。加えて、メイン記憶部６に複数の可視画像形成データ及び画像データを保存・管理することで、ｂｍｐ形式の画像データに基づく画像を複数、表示部４に表示させて、所望の画像を選択して可視画像を形成できる。
【００４２】
次に、光ディスク記録装置１で光ディスクに可視画像を形成するための可視画像形成データの作成動作について説明する。図３は、直交座標系から極座標系に画像変換するイメージ図である。まず、可視画像を形成した際に所定の階調表現ができるように、例えば、階調に応じてレーザー光の照射パワーの強弱を調整したり、直交座標系の画像をディザ処理したりする。なお、ディザ処理とは、ドットの分布や密度を変化させることで濃淡を表す方法である。続いて、ディザ処理した直交座標系の画像を極座標上に配置し、任意の１点を決定して、直交座標系の画像データを極座標系の画像データに変換する。つまり、図３に示したように、直交座標系の画像の右下角（ｘ，ｙ）＝（Ｘ０，Ｙ０）を基準点として、
ｒ＝√（Ｘ２＋Ｙ２），θ＝ｔａｎ−１（Ｙ／Ｘ）
の式に基づいて、変換する。そして、光ディスク記録装置１でレーザー光を光ディスクに照射して可視画像を形成するために、極座標系の画像データを、シリアルデータにする。この場合、画像の歪みはほとんど発生しない。
【００４３】
このようにして作成したシリアルデータと、記録開始位置情報（アドレス情報又は極座標（ｒ，θ）の情報）と、によって可視画像形成データが構成される。そして、この可視画像形成データを元のｂｍｐ形式の画像データに関連付けて、両データを光ディスク記録装置１のメイン記憶部６に記憶させる。
【００４４】
また、光ディスク記録装置１は、可視画像として直交座標系の画像を簡易的に極座標系の画像に変換することもできる。図４は、直交座標系の画像を簡易的に極座標系の画像に変換した例を示した図である。すなわち、図４に示したように、直交座標系の画像（ｂｍｐ形式）のロウ（ｘ）を、極座標系の画像のｒに、直交座標系の画像（ｂｍｐ形式）のカラム（ｙ）を極座標系の画像のθにする変換である。この変換によって得た画像データに基づいて可視画像を形成すると、図４（Ａ）のように直交座標系の画像が矩形であった場合、極座標系の画像は、図４（Ｂ）のように所定の幅の円弧（又は下底の方が短い台形）となるため、光ディスクの外周ほど画像の幅が広くなり、可視画像で形成する画像に歪みが生じる。また、可視画像を形成する位置が光ディスクの内周側ほど、歪みは大きくなる。しかし、可視画像で文字や記号などを表示する場合、この歪みはあまり問題とならなず、また、可視画像形成データを作成するのに要する時間も短時間で済むため、文字系の可視画像を形成する場合に有用な方法である。
【００４５】
次に、本発明の光ディスク記録装置（データ管理装置）の動作について、フローチャートに基づいて説明する。図５及び図６は、光ディスク記録装置の動作を説明するためのフローチャートである。ここで、光ディスク記録装置１のメイン記憶部６には、可視画像を形成するための可視画像形成データと、可視画像用のｂｍｐ形式の画像データと、が関連付けされて、予め複数格納されている。
【００４６】
図５に示したように、光ディスク記録装置１のメイン制御部７は、光ディスクに可視画像を形成する場合、まず、セットされた光ディスクがデータを記録可能であるかを確認する。具体的には、メイン制御部７は、制御部１６に光ディスクのウォブル信号の有無を確認させて、光ディスクが再生専用形光ディスクであるか、記録形光ディスクであるかを判別する（ｓ１、ｓ２）。メイン制御部７は、ウォブル信号が検出できず、セットされた光ディスクが再生専用形光ディスクの場合、可視画像の形成処理を終了する。一方、メイン制御部７は、ウォブル信号が検出でき、セットされた光ディスクが記録形光ディスクの場合は、新規に可視画像形成データを作成して可視画像を形成するか、又は、メイン記憶部６に格納している既存の可視画像形成データに基づいて可視画像を形成するか、の選択を促す表示を表示部４に表示させる（ｓ３）。メイン制御部７は、新規に可視画像形成データを作成して可視画像を形成するように入力部５から入力があった場合、続いて、可視画像用の画像データ（例えば、ｂｍｐ形式の画像データ）を設定するように促す表示を表示部４に表示させる（ｓ４）。ユーザは、指示に従って可視画像形成データを作成する（ｓ５）。
【００４７】
ここで、可視画像形成データの作成は、以下のような手順で行う。図７は、可視画像作成プログラムの表示例である。まず、図７（Ａ）に示したように、ユーザは、光ディスク記録装置１の表示部４に、表示された可視画像作成プログラムのアイコン６１を選択して、可視画像作成プログラムの起動操作を行う。光ディスク記録装置１のメイン制御部７は、この操作を検出すると、メイン記憶部６が記憶する可視画像作成プログラムを読み出して起動する（ｓ２１）。そして、図７（Ｂ）に示したように、メイン制御部７は、表示部４に、可視画像として光ディスクに形成したい任意の文字や絵画（直交座標系の画像データ）などを設定するよう、ユーザに促す表示６２を表示させる（ｓ２２）。図７（Ｃ）に示したように、ユーザは、この表示に従って、可視画像として光ディスクに記録する任意の文字や絵画などの画像６３を設定する。この時、ユーザは、任意の文字を入力部５から入力しても良いし、画像作成ソフトで任意の画像を作成しても良い。また、ホストコンピュータ３の記憶部６が記憶している文字データや画像データを読み出しても良い。さらには、インターネット上のホームページから文字データや画像データを入手するようにしても良い。
【００４８】
光ディスク記録装置１は、任意の画像６３が設定されると（ｓ２３）、図７　（Ｄ）に示したように、既に取得している記録形光ディスクの空きエリアの情報に基づいて設定されたｂｍｐ形式の画像データを、光ディスクに重畳した画像　（可視画像のイメージ）６４を表示部４に表示させる（ｓ２４）。そして、メイン制御部７は、可視画像の編集を行うか否かをユーザに問い合わせる表示６５を表示部４に表示させる（ｓ２５）。ユーザは、表示部４に表示された可視画像の形成後の表示画像で良ければ、表示部４に表示された決定ボタンを選択して、光ディスク記録装置１に可視画像形成データの作成を指示する。一方、ユーザは表示部４に表示された可視画像形成後の表示画像に問題がある場合、可視画像の形成位置を変更したり可視画像のサイズを調整したりして、表示された画像の加工を行う（ｓ２６）。そして、調整が完了すれば決定ボタンを選択して、光ディスク記録装置１に可視画像形成データの作成を指示する。
【００４９】
光ディスク記録装置１のメイン制御部７は、ユーザから可視画像形成データの作成指示があると、例えば、ユーザによって設定された直交座標系の画像データを極座標系の画像データに変換する（ｓ２７）。続いて、メイン制御部７は、この極座標系の画像データに基づいて、光ディスクに可視画像を形成するためのシリアルデータを作成し、このシリアルデータと、可視画像の形成開始アドレスとから可視画像形成データを作成する（ｓ２８）。
【００５０】
メイン制御部７は、可視画像形成データの作成を完了すると、図５に示したように、画像データが選択されると可視画像形成データを速やかに読み出すことができるように、可視画像形成データと、可視画像形成データの元のｂｍｐ形式の画像データと、を関連付けてメイン記憶部６に保存する（ｓ６）。そして、メイン制御部７は、保持していた可視画像形成データを光ディスクドライブ２へ転送し、光ディスクに可視画像を形成する（ｓ７）。メイン制御部７は、可視画像の形成が完了したら、処理を終了する。
【００５１】
また、メイン制御部７は、ｓ３において、メイン記憶部６に格納している既存の可視画像形成データに基づいて可視画像を形成するように入力部５から入力があった場合、続いて、可視画像用の既存の画像を選択するように促す表示を表示部４に表示させる（ｓ１１）。
【００５２】
図８は、可視画像選択プログラムの表示例である。まず、図８（Ａ）に示したように、ユーザは、光ディスク記録装置１の表示部４に、表示された可視画像作成プログラムのアイコン７１を選択して、可視画像選択プログラムの起動操作を行う。光ディスク記録装置１のメイン制御部７は、この操作を検出すると、メイン記憶部６が記憶する可視画像選択プログラムを読み出して起動する（ｓ１２）。そして、図８（Ｂ）に示したように、メイン制御部７は、メイン記憶部６に保存している複数の可視画像形成データに関連付けされたｂｍｐ形式の画像データに基づいて、可視画像用の画像を表示部４に表示させる（ｓ１３）。ユーザは、表示部４に表示された可視画像用の画像から、所望の画像（図では画像７２）を選択する（ｓ１４）。メイン制御部７は、選択された画像（画像７２）について複数の画像データが作成されている場合は（ｓ１５）、各画像（図では画像７３〜７５）を表示する（ｓ１６）。複数の画像データとしては、図７（Ｃ）に示したように、可視画像として表示する画像の形成位置が異なるものや、画像のサイズが異なるものが表示される。ユーザは、表示部４に表示された形成位置やサイズが異なる同じ画像から、所望の画像がある場合は（ｓ１７）、その画像を選択する（ｓ１８）。メイン制御部７は、選択された画像に関連付けされた可視画像形成データをメイン記憶部６から読み出す（ｓ１９）。続いて、この可視画像形成データに基づいて、光ディスクに可視画像を形成する（ｓ７）。メイン制御部７は、可視画像の形成が完了したら処理を終了する。
【００５３】
一方、ｓ１７において所望の画像が無い場合、ユーザは可視画像選択プログラムを終了して、可視画像用の元画像に基づいて所望の画像を作成するｓ５以降の処理を行い、所望の可視画像用画像を作成して、光ディスク記録装置１に、光ディスクへ可視画像を形成させる。メイン制御部７は、可視画像の形成が完了したら、処理を終了する。
【００５４】
【発明の効果】
本発明によれば、以下のような効果を得ることができる。
【００５５】
（１）可視画像形成データと、その可視画像形成データの元になる画像データである画面上への表示に適したファイル形式の画像データと、が関連付けてデータ管理装置に保存されているので、画面上への表示に適したファイル形式の画像データに基づく画像をパソコンの表示装置に表示させて、可視画像を形成する画像を選択すると、選択した画像に関連付けされた可視画像形成データを容易に読み出すことができる。これにより、例えば、光ディスク記録装置に、この可視画像形成データに基づいて可視画像を光ディスクへ速やかに形成させることができる。また、データ管理装置に可視画像形成データを保存するので、光ディスク記録装置で同じ可視画像を複数の光ディスクに形成する場合、可視画像形成データの作成は１回で済み、装置の負荷を軽くすることができる。さらに、光ディスク記録装置で可視画像を光ディスクに形成するのが２回目以降の場合、可視画像形成データを作成しないで良いため、短時間で可視画像を光ディスクに形成することができる。
【００５６】
（２）データ管理装置で複数の可視画像形成データ及びその可視画像用の画像データを保存・管理することで、画面上への表示に適したファイル形式の画像データに基づく画像を表示させて、可視画像を形成する画像を選択でき、選択した画像に関連付けされた可視画像形成データに基づいて、可視画像を光ディスクへ速やかに形成できる。
【図面の簡単な説明】
【図１】本発明の実施形態に係る光ディスク記録装置の構成を示したブロック図である。
【図２】光ディスクＤの領域構成を示した断面図である。
【図３】直交座標系から極座標系に画像変換するイメージ図である。
【図４】直交座標系の画像を簡易的に極座標系の画像に変換した例を示した図である。
【図５】光ディスク記録装置の動作を説明するためのフローチャートである。
【図６】光ディスク記録装置の動作を説明するためのフローチャートである。
【図７】可視画像作成プログラムの表示例である。
【図８】可視画像選択プログラムの表示例である。
【図９】直交座標系の画像及び可視画像用の極座標系の画像を示した図である。
【符号の説明】
Ｄ−光ディスク
１−光ディスク記録装置
６−メイン記憶部
７−メイン制御部
１０−光ピックアップ
１６−制御部
１８−ストラテジ回路
２０−レーザーパワー制御回路
２５−記憶部
【図１】
2004039029.tif 000003
【図２】
2004039029.tif 000004
【図３】
2004039029.tif 000005
【図４】
2004039029.tif 000006
【図５】
2004039029.tif 000007
【図６】
2004039029.tif 000008
【図７】
2004039029.tif 000009
【図８】
2004039029.tif 000010
【図９】
2004039029.tif 000011